(57)【要約】【課題】  ストロボ撮影時の赤目現象を撮影に際して効果的に軽減できる、赤目軽減ブラケット撮影モードを有するデジタルカメラを提供する。【解決手段】  ストロボ装置３１をプリ発光させ、第１の所定時間が経過した後に、前記ストロボ装置３１を本発光させて撮像ユニット１５により撮像するブラケット撮影処理を第２の所定時間間隔で複数回実行し、各ブラケット撮影処理で得られた画像データをキャッシュメモリ１９に書き込み、書き込み終了後、キャッシュメモリ１９から画像データを読み出してイメージＬＣＤ表示ユニット２１に表示し、使用者が表示する画像データをセレクトスイッチ３９で切り替えながら観察し、使用者がＯＫスイッチ３７で選択した画像データのみを画像記録メディア２７に記録する。【選択図】  図２
2005039715.tif 000002
【特許請求の範囲】
【請求項１】
撮像手段を備え、ストロボ装置をプリ発光可能なデジタルカメラであって、
前記ストロボ装置をプリ発光させてから第１の所定時間が経過した後に、前記ストロボ装置を本発光させて前記撮像手段で撮像する処理を複数回繰り返すブラケット撮影モードを有する撮像制御手段と、
前記撮像手段により複数回撮像された各画像データが書き込まれる一時記憶手段と、
該一時記憶手段に書き込まれた各画像データを読み出して表示する画像表示手段と、
該画像表示手段に表示した画像データを使用者が選択できる画像選択手段と、
該画像選択手段で選択された画像データを記憶媒体に書き込む記録手段と、を備えたことを特徴とする赤目軽減ブラケット撮影モードを有するデジタルカメラ。
【請求項２】
前記画像選択手段は、前記一時記憶手段に書き込まれた画像データを全て選択または全て選択しないことが可能である請求項１記載の赤目軽減ブラケット撮影モードを有するデジタルカメラ。
【請求項３】
前記デジタルカメラは、前記画像選択手段で選択されなかった画像データを前記一時記憶手段から消去する消去手段を備えた請求項２記載の赤目軽減ブラケット撮影モードを有するデジタルカメラ。
【請求項４】
前記デジタルカメラは、前記ストロボ装置を本発光させて撮像するブラケット撮影回数を使用者が設定するブラケット撮影回数設定手段を備えている請求項１から３のいずれか一項記載の赤目軽減ブラケット撮影モードを有するデジタルカメラ。
【請求項５】
前記ストロボ装置は充電電圧を検出する充電電圧検出手段を備え、前記撮影制御手段は、各ストロボ発光前に前記電圧検出手段が検出したストロボ充電電圧がストロボ発光できない電圧のときは、前記所定回数に達しない場合でもブラケット撮影を終了する請求項１から４のいずれか一項記載の赤目軽減ブラケット撮影モードを有するデジタルカメラ。
【請求項６】
前記撮影制御手段は、前記ブラケット撮影を所定回数に達する前に終了したときは、前記表示装置に警告表示をする請求項５記載の赤目軽減ブラケット撮影モードを有するデジタルカメラ。
【請求項７】
前記デジタルカメラは、前記プリ発光後最初の本発光までの第１の所定時間を使用者が設定するインターバル時間設定手段を備えている請求項１記載の赤目軽減ブラケット撮影モードを有するデジタルカメラ。
【請求項８】
前記デジタルカメラは、前記ストロボ装置を本発光させて撮像するブラケット撮影間隔を使用者が設定するブラケット撮影間隔設定手段を備えている請求項１記載の赤目軽減ブラケット撮影モードを有するデジタルカメラ。
【請求項９】
前記ブラケット撮影間隔設定手段は、前記ストロボを本発光させて撮像する間隔を個別に設定可能である請求項８記載の赤目軽減ブラケット撮影モードを有するデジタルカメラ。
【請求項１０】
前記デジタルカメラは、前記ブラケット撮影間隔設定手段によって設定されたブラケット撮影の撮影間隔を記憶する手段を備え、該設定可能なブラケット撮影間隔は、露光時間および撮像手段から出力された画像データを一時記憶手段に書き込むまでの時間と、次のストロボ本発光が可能になるまでの時間のうち、長い方を設定可能な最短時間とする請求項８または９記載の赤目軽減ブラケット撮影モードを有するデジタルカメラ。
【請求項１１】
前記プリ発光時間を使用者が設定するプリ発光時間設定手段を備えている請求項１記載の赤目軽減ブラケット撮影モードを有するデジタルカメラ。
【請求項１２】
前記デジタルカメラは測光手段および測距手段を備え、前記撮像制御手段は、前記プリ発光時間または前記第１の所定時間を、前記測光手段から得られた輝度情報および前記測距手段から得られた被写体距離情報に応じて設定する請求項１記載の赤目軽減ブラケット撮影モードを有するデジタルカメラ。
【請求項１３】
前記デジタルカメラは、前記ストロボ装置の充電電圧を検出する充電電圧検出手段と、該充電電圧検出手段によりストロボ装置を発光させるときの充電電圧を検出し、前記画像データについて、前記充電電圧に応じた色温度調整する画像処理手段を備えた請求項１記載の赤目軽減ブラケット撮影モードを有するデジタルカメラ。
【発明の詳細な説明】
【技術分野】
【０００１】
本発明は、ストロボ装置をプリ発光させた後、複数回ストロボ装置を発光させながら撮影する赤目軽減ブラケット撮影モードを有するデジタルカメラに関する。
【背景技術】
【０００２】
カメラにおけるストロボ撮影において、いわゆる赤目現象を軽減するために、ストロボ本発光による撮影直前にストロボをプリ発光させる赤目軽減モードが知られている。
しかし、プリ発光させてから人物の瞳孔が閉じるまでの時間は、個人差、環境差によって大きく異なるため、必ずしも撮影者が望む赤目軽減効果が得られなかった。
ストロボ発光部と撮影レンズとを可及的に離反させれば赤目現象の発生を防止できるが、特にコンパクトカメラでは離反可能な距離が限定されている。
赤目軽減用のプリ発光した後、複数枚連写する銀塩フィルムカメラが知られている（特許文献１）。しかしながらこのカメラは、プリ発光後、単に連写するだけであり、無駄になるフィルムが多数コマ発生してしまう。
赤目現象を再生画面においてソフト的に補正するデジタルカメラ（特許文献２）も知られているが、瞳の色、赤目になる程度等は個人差も大きく、撮影者が望むようには補正されないのが現状であり、赤目現象そのものが発生しないか軽減されることが望まれている。
【特許文献１】特許第2837891号公報
【特許文献２】特開2000-13680号公報
【発明の開示】
【発明が解決しようとする課題】
【０００３】
そこで本発明は、ストロボ撮影時の赤目現象を撮影に際して効果的に軽減できる、赤目軽減ブラケット撮影モードを有するデジタルカメラを提供することを目的とする。
【課題を解決するための手段】
【０００４】
上記目的を達成する本発明は、撮像手段を備え、ストロボ装置をプリ発光可能なデジタルカメラであって、前記ストロボ装置をプリ発光させてから第１の所定時間が経過した後に、前記ストロボ装置を本発光させて前記撮像手段で撮像する処理を複数回繰り返すブラケット撮影モードを有する撮像制御手段と、前記撮像手段により複数回撮像された各画像データが書き込まれる一時記憶手段と、該一時記憶手段に書き込まれた各画像データを読み出して表示する画像表示手段と、該画像表示手段に表示した画像データを使用者が選択できる画像選択手段と、該画像選択手段で選択された画像データを記憶媒体に書き込む記録手段と、を備えたことに特徴を有する。
前記画像選択手段は、前記一時記憶手段に書き込まれた画像データを全て選択または全て選択しない構成にもできる。
実際的には、画像選択手段で選択されなかった画像データを前記一時記憶手段から消去する消去手段を備える。
【０００５】
好ましい実施態様では、前記ストロボ装置を本発光させて撮像するブラケット撮影回数を使用者が設定するブラケット撮影回数設定手段を備える。
ストロボ装置は充電電圧を検出する充電電圧検出手段を備え、前記撮影制御手段は、各ストロボ発光前に前記電圧検出手段が検出したストロボ充電電圧がストロボ発光できない電圧のときは、前記所定回数に達しない場合でもブラケット撮影を終了する。この場合、前記撮影制御手段は、前記ブラケット撮影を所定回数に達する前に終了したときは、前記表示装置に警告表示をする。
前記プリ発光後最初の本発光までの第１の所定時間を使用者が設定するインターバル時間設定手段を備える。
前記ストロボ装置を本発光させて撮像するブラケット撮影間隔を使用者が設定するブラケット撮影間隔設定手段を備える。この場合、前記ブラケット撮影間隔設定手段は、前記ストロボを本発光させて撮像する間隔を個別に設定可能としてもよい。
前記ブラケット撮影間隔設定手段によって設定されたブラケット撮影の撮影間隔を記憶する手段を備え、該設定可能なブラケット撮影間隔は、露光時間および撮像手段から出力された画像データを一時記憶手段に書き込むまでの時間と、次のストロボ本発光が可能になるまでの時間のうち、長い方を設定可能な最短時間とする。
プリ発光時間を使用者が設定するプリ発光時間設定手段を備えてもよい。
測光手段および測距手段を備え、前記撮像制御手段は、前記プリ発光時間または前記第１の所定時間を、前記測光手段から得られた輝度情報および前記測距手段から得られた被写体距離情報に応じて設定する。プリ発光時間は、被写体輝度が明るいとき、被写体距離が遠いときほど長くする。
前記ストロボ装置の充電電圧を検出する充電電圧検出手段と、該充電電圧検出手段によりストロボ装置を発光させるときの充電電圧を検出し、前記画像データについて、前記充電電圧に応じた色温度調整する画像処理手段を備える。ストロボ光の色温度は、充電電圧が高いほど高く、充電電圧が低いほど低くなるので、その特性に合わせる。
なお、本発明におけるストロボ装置は、いわゆる内蔵でもよく、外付けでもよい。
【発明の効果】
【０００６】
請求項１記載発明によれば、ストロボ装置をプリ発光した後、第１の所定時間経過後に複数回、ストロボ装置を本発光させながら撮像し、撮像した画像データを表示手段によって表示して確認し、使用者が望む画像データのみを記憶媒体に書き込むことができるので、個人差、環境変化等にかかわらず、赤目現象を効果的に減少させた画像データが得られ、しかも使用者が望む画像データのみを保存することができる。
【発明を実施するための最良の形態】
【０００７】
本発明の実施形態について、図面を参照して説明する。図１は、本発明を適用したデジタルカメラの要部をブロックで示す図である。
このデジタルカメラは、絞り機構１３を有する撮影レンズ１１を備え、この撮影レンズ１１によって形成された被写体像を撮像ユニット１５で撮像して電気的な画像データに変換する。撮像ユニット１５が撮像し、出力した画像データは画像処理回路１７でホワイトバランス補正等の所定の処理が施され、一時記憶手段としてのキャッシュメモリ１９に書き込まれるとともに、イメージＬＣＤ表示ユニット２１によって視覚可能な映像として表示される。これらの動作は、システム制御回路２３により制御される。
【０００８】
撮影レンズ１１は、詳細は図示しないがフォーカシングレンズ群および絞り機構を含み、このフォーカシングレンズ群および絞り機構１３は、レンズブロック駆動回路２９により駆動される。
また、システム制御回路２３は、所定領域の画像データを使用していわゆるコントラスト法により焦点状態を検出して、フォーカシングレンズ群の合焦位置を検出し、レンズブロック駆動回路２９を介してフォーカシングレンズ群を合焦位置に移動させ、さらに所定領域の画像データを使用して被写体輝度を測定し、レンズブロック駆動回路２９を介して絞り機構１３を駆動する。
【０００９】
撮像ユニット１５は、撮像素子として例えばＣＣＤ撮像素子およびその駆動回路等を含み、システム制御回路２３からの制御信号を受けて撮像動作する。
【００１０】
さらにこのデジタルカメラは、ストロボユニット（ストロボ装置）３１を備えている。ストロボユニット３１は、キセノンランプなどの発光部、ストロボ発光用のメインコンデンサおよび充電回路、メインコンデンサの充電電圧を検出する充電電圧検出回路などを含む。
【００１１】
詳細は図示しないがシステム制御回路２３は、撮影モードにおいて電源がＯＮされたときは、撮像ユニット１５にいわゆるムービー動作させて、撮像ユニット１５が撮像した映像をイメージＬＣＤ表示ユニット２１に表示させる。
通常撮影モードでは、このムービー動作中にシャッターボタン３３が半押しされると、画像処理回路１７が入力した画像データに基づいて、レンズブロック駆動回路２９を介してフォーカシングレンズ群をサーチ移動しながら合焦位置を求め、レンズブロック駆動回路２９を介してフォーカシングレンズ群を合焦位置に移動させる測距処理、および測光動作して露出時間および絞り値を演算してロックするＡＥロック処理を行う。そうしてシャッターボタン３３が半押しされている間は、画像データをムービーモードでイメージＬＣＤ表示ユニット２１に表示する。
【００１２】
シャッターボタン３３が全押しされると、設定した露出時間および絞り値により撮像処理を実行し、画像処理回路１７に入力された画像データをキャッシュメモリ１９に記録する。キャッシュメモリ１９に書き込まれた画像データはその後、記録／再生回路２５により読み出され、所定のフォーマットに従った画像データに変換され、着脱可能な画像記録メディア２７に書き込まれ、キャッシュメモリ１９から消去される。以上の処理は、システム制御回路２３によって制御される。システム制御回路２３は、一時記憶手段に記憶した画像データを消去する消去手段として動作する。
【００１３】
さらにこのデジタルカメラには、ストロボユニット３１を制御して、赤目軽減のためのプリ発光後、所定間隔で複数回本発光する赤目軽減ブラケット撮影モードが搭載されている。赤目軽減ブラケット撮影モードは、ストロボモード設定スイッチ３５の操作によって設定される。ストロボモード設定スイッチ３５によって設定可能なストロボに関するモードとしては、赤目軽減ブラケット撮影モードの他に、従来の赤目軽減モード、オート発光モード、強制発光モード、発光禁止モードなどがある。
【００１４】
赤目軽減ブラケット撮影モードでは、シャッターボタン３３が全押しされると、まずプリ発光し、第１の所定時間経過時に第１回目のストロボ本発光による撮像を行い、以後、第２の所定時間経過時毎に、第２回目のストロボ本発光による撮像、第３回目のストロボ本発光による撮像を行う。これら３回の本発光による撮像により得られた画像データはそれぞれ、キャッシュメモリ１９に書き込まれる。
【００１５】
３回のストロボ本発光による撮像が終了すると、第１回目の撮像データをイメージＬＣＤ表示ユニット２１に表示する。セレクトスイッチ３９が操作さると、第２回目の撮像データをイメージＬＣＤ表示ユニット２１に表示する。以後、セレクトスイッチ３９が操作される毎に、第１回目から第３回目の撮像データを循環してイメージＬＣＤ表示ユニット２１に表示する。そうして、ＯＫスイッチ３７がオン操作されると、そのときにイメージＬＣＤ表示ユニット２１に表示していた画像データを、画像記録メディア２７に書き込み、キャッシュメモリ１９に書き込まれている画像データを全て消去して、撮像待機モードに戻る。
メニュースイッチ４１は、露出モードなどを表示させ、変更／選択可能にするスイッチである。
【００１６】
この発明の実施形態の赤目軽減ブラケット処理について、さらに図２に示したタイミングチャートおよび図３〜図７に示したフローチャートを参照して詳細に説明する。図３のSTARTフローチャートは、赤目軽減ブラケット撮影モードが設定されているときにこのデジタルカメラが電源オン状態で実行するメイン処理である。なお、ステップは「Ｓ」と表記する。
【００１７】
この処理に入ると先ず、シャッターボタン３３が半押しされたかどうかをチェックし（Ｓ１０１）、シャッターボタン３３が半押しされるのを待つ（Ｓ１０１；Ｎ、Ｓ１０１）。シャッターボタン３３が半押しされると、測光及び測距処理を実行する（Ｓ１０１；Ｙ、Ｓ１０３）。測光処理では、撮像ユニット２１から画像データを入力して被写体輝度を測定して、プログラム線図に従いＣＣＤ感度、絞り値、露光時間を設定し、被写体が適正レベルとなるようにする（ＬＣＤ表示のため）。測距処理では、フォーカシングレンズ群を無限遠合焦位置から最至近距離合焦位置までステップ駆動しながら撮像ユニット２１から画像データを入力して隣接画素間の輝度差の絶対値の総和または平均値を求め、最も輝度差が大きい位置を合焦位置としてフォーカスレンズ群を移動させる。
【００１８】
次に、ストロボユニット３１がフル充電されているか否かをチェックし（Ｓ１０５）、フル充電されていなければストロボ充電処理を実行する（Ｓ１０５；Ｎ、Ｓ１０７）。ストロボユニット３１がフル充電されたら（Ｓ１０５；Ｙ）、シャッターボタン３３が全押しされたかどうかをチェックし（Ｓ１０９）、全押しされるのを待つ（Ｓ１０９；Ｎ、Ｓ１０９）。シャッターボタン３３が全押しされたら、Ｓ１１１から撮像処理に入る（Ｓ１０９；Ｙ、Ｓ１１１）。
【００１９】
先ず、ストロボ撮影用の絞り値、ＣＣＤ感度、露光時間を設定する（Ｓ１１１）。次に撮像ユニット１５に露光動作を開始させ（Ｓ１１３）、ストロボプリ発光をさせる（Ｓ１１５）。ストロボプリ発光時間は、非常に短い時間（１０μs〜３０μs）である。
前記露光時間（１／６０秒）経過後、撮像ユニット１５の露光動作を終了させる（Ｓ１１７）。撮像ユニット１５がプリ発光露光で撮像した画像データを読み出し、キャッシュメモリ１９に書き込む（Ｓ１１９）。その後、所定範囲内の画像データを読み出して平均輝度を演算し（Ｓ１２１）、プリ発光開始から第１の所定時間（インターバル時間）が経過するのを待つ（Ｓ１２３）。
【００２０】
第１の所定時間（インターバル時間）が経過したら、ブラケット撮影回数を設定する変数Ｎに３をセットする（Ｓ１２５）。
ストロボ充電電圧を検出し（Ｓ１２７）、ストロボ発光可能な充電電圧か否かをチェックする（Ｓ１２９）。ストロボ発光可能な充電電圧であれば赤目軽減ブラケット撮影処理に進み（Ｓ１２９；Ｙ、Ｓ１３１）、ストロボ発光可能な充電電圧でなければ赤目軽減ブラケット撮影処理をスキップする（Ｓ１２９；Ｎ、Ｓ１５１）。
【００２１】
ストロボ発光可能な充電電圧であった場合（Ｓ１２９；Ｙ）の赤目軽減ブラケット撮影処理（Ｓ１３１〜Ｓ１４９）は、次の通りである。先ず、充電電圧と前記Ｓ１０３、Ｓ１２１の被写体輝度情報からストロボ本発光時間を設定する（Ｓ１３１）。充電電圧と発光時間に応じた色温度を画像処理回路１７に設定する（Ｓ１３３）。同じ発光量を得る場合、充電電圧が高く従って発光時間が短くなるほどストロボ光の色温度が高くなり、反対に充電電圧が低く従って発光時間が長くなるほどストロボ光の色温度が低くなるので、この特性に応じて色温度を調整する。
【００２２】
撮像ユニット１５に露光動作を開始させて（Ｓ１３５）、ストロボユニット３１に本発光を開始させ（Ｓ１３７）、Ｓ１０３で設定した適正露光時間が経過するときに、撮像ユニット１５の露光動作を終了させる（Ｓ１３９）。
【００２３】
撮像ユニット１５から画像データを読み出し、キャッシュメモリ１９に書き込みむ（Ｓ１４１）。その後、画像データをイメージＬＣＤ表示ユニット２１に表示させるためのデータ変換処理を行う（Ｓ１４３）。この状態で、Ｓ１３７のストロボ本発光開始から第２の所定時間が経過するのを待つ（Ｓ１４５）。
【００２４】
第２の所定時間が経過したら、変数Ｎを１デクリメントし、変数Ｎが０になったかどうかをチェックし（Ｓ１４７、Ｓ１４９）、変数Ｎが０でなければＳ１２７に戻って、上記Ｓ１２７〜Ｓ１４７の処理を繰り返す。つまり、１回目のＳ１２７〜Ｓ１４７の処理の後、第２の所定時間間隔でＳ１２７〜Ｓ１４７の処理を２回繰り返す。
【００２５】
変数Ｎが０になったときにＳ１２７〜Ｓ１４９のループ処理を抜けてＳ１５１に進む（Ｓ１４９；Ｙ、Ｓ１５１）。つまり、３回のストロボ本発光撮像処理を実行して３枚撮像したら抜ける。
以上のブラケット撮影処理により、プリ発光後、３回の本発光撮像処理により３枚の画像データがキャッシュメモリ１９に書き込まれる。
また、３枚撮影する前にストロボ充電電圧がストロボ発光可能充電電圧よりも下降した場合はブラケット撮影が中止される（Ｓ１２９；Ｎ、Ｓ１５１）。この場合、イメージＬＣＤ表示ユニット２１に警告表示をすることが好ましい。
Ｓ１５１では、ストロボユニット３１に充電処理を実行させる。
【００２６】
Ｓ１５３〜Ｓ１６５の処理は、赤目軽減ブラケット撮影した画像を使用者がイメージＬＣＤ表示ユニット２１で確認し、選択する処理である。
先ず、キャッシュメモリ１９から１番目の画像データを読み出して、イメージＬＣＤ表示ユニット２１に表示させる（Ｓ１５３）。この状態で、セレクトスイッチ３９がオンしているかどうかをチェックし（Ｓ１５５）、オフからオンに変化していなければＯＫスイッチ３７がオンしたかどうかをチェックし（Ｓ１５５；Ｎ、Ｓ１５９）、オンしていなければＳ１５５に戻る（Ｓ１５９；Ｎ、Ｓ１５５）。つまり、イメージＬＣＤ表示ユニット２１の表示を、セレクトスイッチ３９またはＯＫスイッチ３７がオンされるまで維持する。
【００２７】
セレクトスイッチ３９がオンされると、キャッシュメモリ１９から次の画像データを読み出してイメージＬＣＤ表示ユニット２１に表示する（Ｓ１５５；Ｙ、Ｓ１５７）。この実施例では、セレクトスイッチ３９がオンされている間、キャッシュメモリ１９に書き込んだ画像を順番に循環して表示する。なお、セレクトスイッチ３９がオフからオンに変化する毎に表示する画像を切り替えてもよい。
【００２８】
そうして、ＯＫスイッチ３７がオンされたときに（Ｓ１５９；Ｙ）、イメージＬＣＤ表示ユニット２１に表示している画像データを画像記録メディア２７に記録する画像データに変換し（Ｓ１６１）、画像記録メディア２７に記録し（Ｓ１６３）、キャッシュメモリ１９をクリアし（Ｓ１６５）、終了する（END）。なお、終了せずに、Ｓ１０１に戻る構成でもよい。
【００２９】
以上のように本発明の実施形態によれば、赤目軽減プリ発光後、異なる経過時間で複数枚ストロボ本発光して撮像できるので、撮影環境、瞳の個人差にかかわらず異なる瞳状態で撮影できるので、いずれかの画像が使用者が望む画像である確率が非常に高くなる。しかも使用者は、赤目軽減ブラケット撮影した画像をイメージＬＣＤ表示ユニット２１上で確認し、望む画像のみを記録することができるので、不要な画像データの記録を避けることができる。
本実施の形態では、一つの画像データのみ選択可能としたが、全く選択しない構成を含めてもよく、使用者が望む数の画像データを選択可能な構成を含めてもよい。
【００３０】
次に、Ｓ１０３における測光処理および測距処理の詳細について、図６、図７に示したフローチャートを参照して説明する。なお、本実施形態では測光処理を実行した後に測距処理を実行する。
【００３１】
測光処理に入ると、先ず、撮像ユニット１５の露光時間及び絞り値として初期値を設定する（Ｓ２０１）。次に、この露光時間で、撮像ユニット１５に露光処理、つまり撮像処理を実行させる（Ｓ２０３）。露光処理が終了すると、撮像ユニット１５から画像データを読み出し、キャッシュメモリ１９に書き込む（Ｓ２０５）。キャッシュメモリ１９に書き込んだ画像データの中から所定範囲の画像データを使用して輝度の平均値を演算する（Ｓ２０７）。さらに、得られた輝度情報からプログラム線図に従い、ＣＣＤ感度、絞り値、露光時間を設定する（Ｓ２０９、END）。
この設定は、次の測距処理においても利用する。
【００３２】
測光処理が終了すると、測距処理を実行する。測距処理に入ると、レンズブロック駆動回路２９を介してフォーカスレンズ群を初期位置まで移動させる（Ｓ３０１）。この実施形態では、無限遠合焦位置に移動させる。
【００３３】
次に、Ｓ２０９で設定した露光条件で撮像ユニット１５に露光処理をさせる（Ｓ３０３）。露光処理が終了すると、撮像ユニット１５から画像データを読み出してキャッシュメモリ１９に書き込む（Ｓ３０５）。
【００３４】
キャッシュメモリ１９に書き込んだ画像データの中から所定範囲の画像データを使用して、画素間の輝度差の絶対値の総和を求める総和演算を実行する（Ｓ３０７）。求めた輝度差の総和、または平均値は、そのときのフォーカスレンズ群位置情報とともにＲＡＭ２３ａに書き込む。
【００３５】
フォーカスレン群が最至近位置かどうかをチェックし（Ｓ３０９）、最至近位置でなければフォーカスレンズ群を最至近側に所定ステップ移動してＳ３０３に戻り、上記Ｓ３０３〜３０９の処理を繰り返す。以上のＳ３０３〜Ｓ３１１の処理を繰り返して、フォーカスレンズ群を無限遠合焦位置から最至近位置まで所定ステップで移動しながら輝度差の絶対値の総和を求める。
【００３６】
無限遠合焦位置まで輝度差の絶対値の総和を求めたら、Ｓ３０９からＳ３１３に抜ける（Ｓ３０９；Ｙ、Ｓ３１３）。Ｓ３１３では、求めた輝度差の総和の中から最大値を求め、その最大値が得られたフォーカスレンズ群の位置までフォーカスレンズ群を移動させる。フォーカスレンズ群の移動が終了すると、リターンする（ＲＥＴＵＲＮ）。
以上の測距処理により合焦処理が終了する。このフォーカスレンズ群の合焦移動位置により、合焦した被写体までの距離が分かる。
【００３７】
図８には、メニュースイッチによりモード／パラメータを呼び出し、セレクトスイッチ３９によってモード／パラメータを選択する処理の概要を示してある。この実施例では、メニュースイッチ操作により、「赤目軽減プリ発光後のインターバル時間」、「赤目軽減プリ発光時間」、「ブラケット撮影回数」、および「ブラケット撮影間隔」の設定が可能である。「赤目軽減プリ発光後のインターバル時間」とは、赤目軽減プリ発光した後、最初の本発光露出するまでの時間（第１の所定時間）をいう。「赤目軽減プリ発光時間」とは、赤目軽減のためのプリ発光を維持する時間をいう。「ブラケット撮影枚数」とは、赤目軽減ブラケッティング撮影する枚数をいう。「ブラケット撮影間隔」とは、ブラケット撮影する間隔（第２の所定時間）をいう。この実施形態では、システムコントローラ３１、セレクトスイッチ３９およびＯＫスイッチ３７が画像選択手段、インターバル時間設定手段、プリ発光時間設定手段、ブラケット撮影回数設定手段、およびブラケット撮影間隔設定手段を構成している。
【００３８】
この実施例では、メニュースイッチ４１がオン操作されると、「赤目軽減プリ発光後のインターバル時間」の文字またはシンボルと、時間がイメージＬＣＤ表示ユニット２１に表示される。この表示状態でセレクトスイッチ３９がオンすると、オンする毎に時間が、「６００」、「７００」、「８００」、そして再び「６００」に循環して変化する。この時間の単位はmsである。
【００３９】
ここでメニュースイッチ４１がオンされると、その時に表示されていた時間が「赤目軽減プリ発光後のインターバル時間」として設定されるとともに、イメージＬＣＤ表示ユニット２１の表示が「赤目軽減プリ発光時間」の文字またはシンボルと時間に変わる。この表示状態でセレクトスイッチ３９がオンすると、オンする毎に時間が、「１０」、「２０」、「３０」、そして再び「１０」に循環して変化する。この時間の単位はμsである。
【００４０】
ここでメニュースイッチ４１がオンされると、その時に表示されていた時間が「赤目軽減プリ発光時間」として設定されるとともに、イメージＬＣＤ表示ユニット２１の表示が「ブラケット撮影回数」および回数に変わる。この表示状態でセレクトスイッチ３９がオンすると、オンする毎に回数が、「２」、「３」、「４」、そして再び「２」に、循環して変化する。
【００４１】
ここでメニュースイッチ４１がオンされると、その時に表示されていた回数が「ブラケット撮影回数」として設定されるとともに、イメージＬＣＤ表示ユニット２１の表示が「ブラケット撮影間隔」および時間に変わる。この表示状態でセレクトスイッチ３９がオンすると、オンする毎に時間が、「１００」、「１５０」、「２００」、そして再び「１００」に、循環して変化する。この時間の単位はmsである。
【００４２】
ここでメニュースイッチ４１がオンされると、その時に表示されていた時間が「ブラケット撮影間隔」として設定されるとともに、イメージＬＣＤ表示ユニット２１の表示が「Ｅｘｉｔ」の文字に変わる。ここでＯＫスイッチ３７がオンされると、「Ｅｘｉｔ」の表示が消え、選択モードから抜ける。
また「Ｅｘｉｔ」表示状態でメニュースイッチ４１がオンされると再び「赤目軽減プリ発光後のインターバル時間」設定モードに移行し、「Ｅｘｉｔ」の文字が消える。
【００４３】
以上の設定操作で設定されたインターバル時間、赤目軽減プリ発光時間、ブラケット撮影回数、ブラケット撮影回数は、ＥＥＰＲＯＭ２３ｂに書き込まれ、赤目軽減ブラケット撮影モードでの撮影処理において読み出され、使用される。
【００４４】
なお、インターバル時間（第１の所定時間）およびブラケット撮影間隔（第２の所定時間）の最短時間は、撮像ユニット１５による露出開始から、撮像ユニット１５から出力された画像データを画像処理回路１７が処理してキャッシュメモリ１９に書き込み完了するまでの時間である。設定可能なインターバル時間およびブラケット撮影間隔は、これらの最短時間以上になるように予め設定される。
プリ発光時間またはインターバル時間（第１の所定時間）は、被写体輝度が高いときほど、被写体距離が遠いときほど長くなるように、逆に被写体輝度が低いときほど、被写体距離が近いときほど短くなるように、自動設定、または設定された時間をシフトさせる構成としてもよい。
さらにブラケット撮影間隔（第２の所定時間）は、各回毎に設定できる構成としてもよい。
【００４５】
以上本発明をストロボ装置を内蔵したデジタルカメラに適用した実施形態について説明したが、ストロボ装置は外付けでもよい。画像記憶メディアはICカードなどの不揮発性メモリ、ハードディスクドライブなどであり、着脱できないものでもよい。また撮像ユニットの露光終了動作をメカニカルシャッタで行ってもよい。
【図面の簡単な説明】
【００４６】
【図１】本発明を適用したデジタルカメラの主要構成をブロックで示す構成図である。
【図２】同デジタルカメラの赤目軽減ブラケット撮影のタイミングチャートである。
【図３】同デジタルカメラの赤目軽減ブラケット撮影処理の前段部をフローチャートで示す図である。
【図４】同デジタルカメラの赤目軽減ブラケット撮影処理の中段部をフローチャートで示す図である。
【図５】同デジタルカメラの赤目軽減ブラケット撮影処理の後段部をフローチャートで示す図である。
【図６】同デジタルカメラの赤目軽減ブラケット撮影処理における測光処理をフローチャートで示す図である。
【図７】同デジタルカメラの赤目軽減ブラケット撮影処理における測距処理をフローチャートで示す図である。
【図８】同デジタルカメラの赤目軽減ブラケット撮影処理における変数設定モードの表示例を示す図である。
【符号の説明】
【００４７】
１１  撮影レンズ
１３  絞り機構
１５  撮像ユニット
１７  画像処理回路（画像処理手段）
１９  キャッシュメモリ
２１  イメージＬＣＤ表示ユニット
２３  システム制御回路
２９  レンズブロック駆動回路
３１  ストロボユニット（ストロボ装置）
３３  シャッターボタン
３５  ストロボモード設定スイッチ
３７  ＯＫスイッチ
３９  セレクトスイッチ
４１  メニュースイッチ
【図１】
2005039715.tif 000003
【図２】
2005039715.tif 000004
【図３】
2005039715.tif 000005
【図４】
2005039715.tif 000006
【図５】
2005039715.tif 000007
【図６】
2005039715.tif 000008
【図７】
2005039715.tif 000009
【図８】
2005039715.tif 000010